(57)【要約】【課題】本発明の目的は、終了処理を中断することができる光ディスク装置および光ディスク媒体を提供することにある。【解決手段】光ディスク装置は、光ヘッドと制御部とを具備する。光ディスク媒体は、データが記録される記録トラックが、内周側から内周制御データ記録領域とユーザデータ記録領域と外周制御データ記録領域とに分割されて管理される。光ヘッドは、光ディスク媒体に光を照射してデータを記録再生する。制御部は、光ヘッドの位置を制御し、光ヘッドに記録すべきデータを供給する。ユーザデータ記録領域にユーザデータを記録した後に、終了処理として、ユーザデータ記録領域内の所定の領域に制御用データが記録される。制御部は、この終了処理の進行状態を示す終了処理状態情報を内周制御データ記録領域内の所定の領域に記録する。【選択図】図５
2007157297.tif 000002
【特許請求の範囲】
【請求項１】
データを記録する記録トラックが、内周側から、内周制御データ記録領域と、ユーザデータ記録領域と、外周制御データ記録領域とに分割されて管理される光ディスク媒体に光を照射して前記データを記録再生する光ヘッドと、
前記光ヘッドの位置を制御し、前記光ヘッドに記録すべき前記データを供給する制御部と
を具備し、
前記制御部は、前記ユーザデータ記録領域にユーザデータを記録した後に前記ユーザデータ記録領域内の所定の領域に制御用データを記録する終了処理の進行状態を示す終了処理状態情報を前記内周制御データ記録領域内の所定の領域に記録する
光ディスク装置。
【請求項２】
前記終了処理状態情報は、前記終了処理が実施完了か、前記終了処理が実施中か、前記終了処理が未実施であるかを示すフラグ情報を含む
請求項１に記載の光ディスク装置。
【請求項３】
前記終了処理状態情報は、
前記ユーザデータ記録領域の所定の領域のうちの前記制御用データを記録し終えた記録済み領域を示すアドレス情報をさらに含む
請求項２に記載の光ディスク装置。
【請求項４】
前記制御部は、前記内周制御データ記録領域内の所定の領域に記録された前記終了処理状態情報に基づいて前記終了処理を継続して実施する
請求項１に記載の光ディスク装置。
【請求項５】
前記終了処理状態情報は、前記終了処理が実施完了か、前記終了処理が実施中か、前記終了処理が未実施であるかを示すフラグ情報を含み、
前記制御部は、前記フラグ情報が、前記実施中を示すとき、前記終了処理を継続して実施する
請求項４に記載の光ディスク装置。
【請求項６】
前記終了処理状態情報は、前記フラグ情報が前記実施中を示すとき、
前記ユーザデータ記録領域の所定の領域のうちの前記制御用データを記録した記録済み領域を示すアドレス情報をさらに含み、
前記制御部は、前記アドレス情報に基づいて前記制御用データを記録する位置を設定する
請求項５に記載の光ディスク装置。
【請求項７】
記録可能なスパイラル状の記録トラックが形成され、入射面から透過層を介して記録再生する記録層を有し、内周側から内周制御データ記録領域とユーザデータ記録領域と外周制御データ記録領域とに前記記録トラックが領域分割されて管理されている光ディスク媒体を記録する光ディスク装置であって、
ユーザデータの記録終了後に前記ユーザデータ記録領域内の所定領域に制御データを記録する終了処理が、行なわれていないか、記録途中であるか、記録済みであるかの状態を表すフラグ情報と、
記録途中の場合に記録済み部分を認識できるアドレス情報と
を前記内周制御データ記録領域内に記録する
光ディスク装置。
【請求項８】
再生された前記フラグ情報が、前記記録途中であることを示す場合、さらに記録されている前記アドレス情報を検出し、記録済み部分の次につなげて追加記録する
請求項７に記載の光ディスク装置。
【請求項９】
光ヘッドから光を照射される入射面を有する透過層と、
記録可能なスパイラル状の記録トラックが形成され、前記入射面から前記透過層を介して到達する前記光により集光スポットが形成されてデータが記録再生される記録層と、前記記録トラックは、内周側から内周制御データ記録領域とユーザデータ記録領域と外周制御データ記録領域とに分割されて管理され、
を具備し、
前記内周制御データ記録領域は、前記ユーザデータ記録領域の記録状態を保存するための記録状態情報部を備え、
前記記録状態情報部は、前記ユーザデータ記録領域にユーザデータを記録した後に前記ユーザデータ記録領域内の所定の領域に制御用データを記録する終了処理の進行状況を示す終了処理情報が記録される部分を有する
光ディスク媒体。
【請求項１０】
前記終了処理状態情報は、前記終了処理が実施完了か、前記終了処理が実施中か、前記終了処理が未実施であるかを示すフラグ情報を含む
請求項９に記載の光ディスク媒体。
【請求項１１】
前記終了処理状態情報は、
前記ユーザデータ記録領域の所定の領域のうちの前記制御用データを記録した記録済み領域を示すアドレス情報をさらに含む
請求項１０に記載の光ディスク媒体。
【請求項１２】
前記透過層を介して到達する前記光により集光スポットが形成されてデータが記録及び再生される２層の前記記録層を備える
請求項９から請求項１１のいずれかに記載の光ディスク媒体。
【請求項１３】
記録可能なスパイラル状の記録トラックが形成され、入射面から透過層を介して記録再生する記録層を有し、内周側から内周制御データ記録領域とユーザデータ記録領域と外周制御データ記録領域とに前記記録トラックが領域分割されて管理され、
前記内周制御データ記録領域内に前記ユーザデータ記録領域の記録状態を保存するための記録状態情報部が設定されている光ディスク媒体であって、
前記記録状態情報部は、
ユーザデータの記録終了後に、前記ユーザデータ記録領域内の所定領域に制御データを記録する終了処理が、行なわれていないか、記録途中であるか、記録済みであるかの状態を示すフラグ情報と、
前記記録途中である場合に記録済み部分を認識できるアドレス情報と
が記録される部分が設定されている光ディスク媒体。
【請求項１４】
同一入射面から前記透過層を介して記録再生する２層の記録層を有する
請求項１３に記載の光ディスク媒体。
【発明の詳細な説明】
【技術分野】
【０００１】
本発明は、微小な光スポットによりデータの記録再生を行う記録型光ディスク装置および記録型光ディスク装置に使用される光ディスク媒体に関する。
【背景技術】
【０００２】
微小な光スポットによりデータの記録再生を行う光ディスク分野において、予めエンボス状のデータピット列が形成された再生専用のＲＯＭ（Ｒｅａｄ  Ｏｎｌｙ  Ｍｅｍｏｒｙ）媒体に続いて、データの記録が出来る光ディスク媒体であるＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）が広く普及している。また、記録されたデータを書き換えることも可能なＣＤ−ＲＷ（ＣＤ−ＲｅＷｒｉｔａｂｌｅ）やＤＶＤ−ＲＷ（ＤＶＤ−ＲｅＷｒｉｔａｂｌｅ）と呼ばれる光ディスク媒体もある。さらに次世代のＤＶＤとして青色光源を用いる、ＨＤ  ＤＶＤ−Ｒと呼ばれる規格も発行されている。ここではデータの記録が可能な光ディスク媒体を総称して記録型光ディスク媒体と呼ぶ。
【０００３】
記録型光ディスク媒体は、光ディスク基板にトラッキングのためのスパイラル状のグルーブトラックが形成され、その上に有機材料などによる記録層が形成されている。この記録層に高いパワーのレーザ光を集光して部分的に変質させて記録ピットが形成され、これによりデータが記録される。データ記録後は、エンボス状のデータピット列が形成されたＲＯＭ媒体とほぼ同じ特性のサーボ信号を得ることができるため、再生専用のドライブ装置でも容易に再生できる利点がある。
【０００４】
さらに最近、このような記録型光ディスク媒体において、２層の記録層を形成し、同じ基板入射面から記録再生することにより、記録容量の増大を実現する光ディスク媒体が開発製品化され始めている。例えば、ＤＶＤ−Ｒにおいては、このような２層媒体が製品化されている。
【０００５】
このような記録型光ディスク媒体では、ユーザデータを記録した後に、再生専用のＲＯＭ媒体と同様なフォーマット配置を形成するために、終了処理あるいはファイナラズと呼ばれるような記録処理が必要となる。
【０００６】
ファイナライズに関して、例えば、特開２００５−３１０３２１号公報に開示される技術が知られている。これによれば、光ディスク媒体はデータ領域とシステム領域とを具備する。データ領域は、少なくとも１つのボーダ付き領域とボーダ付き領域の外周端に設定されるボーダ領域とを備える。システム領域は、データ領域にユーザデータを記録するために必要な記録制御情報が記録される記録制御情報エリアを備える。データ領域は、最外周に記録されるボーダ領域の外周端にリードアウト領域をさらに備える。リードアウト領域は、最外周に記録されるボーダ領域と同等以下の記録容量を有し、ファイナライズ用データが記録される。
【０００７】
【特許文献１】特開２００５−３１０３２１号公報
【発明の開示】
【発明が解決しようとする課題】
【０００８】
例えば、単層の記録型光ディスク媒体において、内周側から外周側に向かってユーザデータを記録したとする。その場合、ファイナライズでは、そのユーザデータの外周側に所定の幅以上の制御領域を示す情報を記録することがＲＯＭ媒体と同様のフォーマット配置を形成するために必要となる。この領域は、リードアウトと呼ばれ、その幅は、半径方向に５０μｍから数１００μｍ以上が求められることが多い。従って、この領域に記録するためには、１０秒以上の記録時間を要することもある。
【０００９】
さらに、２層の記録型光ディスク媒体では、ユーザデータ領域の途中でユーザデータ記録が終了した場合、残りの大部分のユーザデータ領域を記録済みとするための終了処理を求められることもある。これは、基本的に、２層のＲＯＭ媒体は、一方の層が記録済みとなっている半径位置において、他方の層にも記録ピットが形成されていることが前提のフォーマット配置となっている為である。従って、２層の記録型光ディスク媒体では、ユーザデータを記録するよりもさらに長時間の終了処理のための記録が必要になる場合すらある。即ち、ユーザはこのような長時間の終了処理が終わるまで待機しなければならなかった。
【００１０】
本発明の目的は、終了処理を中断することができる光ディスク装置および光ディスク媒体を提供することにある。
【課題を解決するための手段】
【００１１】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００１２】
本発明の観点では、光ディスク装置（２０）は、光ヘッド（２２）と制御部（２５）とを具備する。光ディスク媒体（１）は、データが記録される記録トラック（２）が、内周側から内周制御データ記録領域（６）とユーザデータ記録領域（７）と外周制御データ記録領域（８）とに分割されて管理される。光ヘッド（２２）は、光ディスク媒体（１）に光を照射してデータを記録再生する。制御部（２５）は、光ヘッド（２２）の位置を制御し、光ヘッド（２２）に記録すべきデータを供給する。ユーザデータ記録領域（７）にユーザデータを記録した後に、終了処理として、ユーザデータ記録領域（７）内の所定の領域（１３）に制御用データが記録される。制御部（２５）は、この終了処理の進行状態を示す終了処理状態情報を内周制御データ記録領域（６）内の所定の領域（１２）に記録する。
【００１３】
この終了処理状態情報は、終了処理が実施完了か、終了処理が実施中か、終了処理が未実施であるかを示すフラグ情報を含む。さらに、終了処理状態情報は、フラグ情報が実施中を示すとき、ユーザデータ記録領域（７）の所定の領域（１３）のうちの制御用データを記録した記録済み領域を示すアドレス情報を含んでもよい。
【００１４】
また、本発明の光ディスク装置（２０）の制御部（２５）は、内周制御データ記録領域（６）内の所定の領域（１２）に記録された終了処理状態情報に基づいて終了処理を継続して実施する。この終了処理状態情報は、終了処理が実施完了か、終了処理が実施中か、終了処理が未実施であるかを示すフラグ情報を含んでいる。制御部（２５）は、フラグ情報が、実施中を示すとき、終了処理を継続して実施する。
【００１５】
また、終了処理状態情報は、フラグ情報が実施中を示すとき、アドレス情報をさらに含んでいる。アドレス情報は、ユーザデータ記録領域の所定の領域（１３）のうちの制御用データを記録した記録済み領域を示している。制御部（２５）は、このアドレス情報に基づいて制御用データを記録する位置を設定すると効率的である。
【００１６】
本発明の他の観点では、光ディスク媒体（１）は、透過層（４）と記録層（３）とを具備する。透過層（４）は、光ヘッド（２２）から光を照射される入射面（５）を有する。記録層（３）は、記録可能なスパイラル状の記録トラック（２）が形成されている。記録層（３）は、入射面（５）から透過層（４）を介して到達する光により集光スポットが形成されてデータが記録再生される。記録トラック（２）は、内周側から内周制御データ記録領域（６）とユーザデータ記録領域（７）と外周制御データ記録領域（８）とに分割されて管理される。内周制御データ記録領域（６）は、ユーザデータ記録領域（７）の記録状態を保存するための記録状態情報部（１２）を備える。ユーザデータ記録領域（７）にユーザデータが記録された後に、終了処理としてユーザデータ記録領域（７）内の所定の領域（１３）に制御用データが記録される。記録状態情報部（１２）は、この終了処理の進行状況を示す終了処理情報が記録される部分を有する。
【００１７】
この終了処理状態情報は、終了処理が実施完了か、実施中か、未実施であるかを示すフラグ情報を含む。また、このフラグ情報が実施中を示すとき、終了処理状態情報は、ユーザデータ記録領域（７）の所定の領域（１３）のうちの制御用データを記録した記録済み領域を示すアドレス情報を含んでもよい。
【００１８】
本発明の光ディスク媒体（１）は、透過層（４）を介して到達する光により集光スポットが形成されてデータが記録及び再生される記録層（３−１、３−２）を２層備えてもよい。
【発明の効果】
【００１９】
本発明によれば、終了処理を中断することが可能な記録型光ディスク装置および光ディスク媒体を提供することができる。本発明により、ユーザは、長時間の終了処理が終わるまでの間待機しなくてもよくなる。
【発明を実施するための最良の形態】
【００２０】
以下に添付図面を参照して、本発明の光ディスク装置と光ディスク媒体に係る実施の形態が説明される。図１は、本発明の光ディスクシステムの構成を示す図である。光ディスク装置２０は、ＤＶＤディスクのような光ディスク媒体１がセットされる。光ディスク装置２０は、ホスト装置３０からの命令に従ってデータを光ディスク媒体１に記録し、光ディスク媒体１からデータを読み出す。また、光ディスク装置２０は、ユーザデータを全て書き終わった後、ホスト装置２からの命令に応答して終了処理（ファイナライズ）を行う。
【００２１】
図２は、本発明の光ディスク装置２０の構成例を示すブロック図である。光ディスク装置２０は、スピンドル２１、光ヘッド２２、信号検出回路２３、記録状態情報検出回路２４、記録制御回路２５を備える。単層或いは２層の光ディスク媒体１は、スピンドル２１にセットされる。光ヘッド２２は、光ディスク媒体１にレーザ光を照射し、信号の記録再生を行う。信号検出回路２３は、光ヘッド２２により再生された再生信号に含まれる各種の信号を検出し、記録状態情報検出回路２４に出力する。記録状態情報検出回路２４は、終了処理の状態を示すフラグの検出や、記録途中の場合のアドレス情報の検出を行う。記録制御回路２５は、これらの検出結果やホストからの指示により、所望の位置に所定の情報を記録するように記録制御を行う。
【００２２】
記録型光ディスク媒体１は、図３に示されるように、スパイラル状の記録トラック２が形成されている。図４は、この光ディスク媒体１の半径方向の断面を示す図である。図４の左が内周側であり、右が外周側である。光ディスク媒体１は、記録層３に集光スポットを形成して記録及び再生を行う構成になっている。光ヘッド２２から出射されるレーザ光は、図４の下方から光ディスク媒体１に入射される。従って、レーザ光は、入射面５から入射し、透過層４を透過して記録層３に集光スポットを形成する。記録層３の記録トラック２は、内周側から、内周制御データ記録領域６、ユーザデータ記録領域７、外周制御データ記録領域８に分けられている。また、図示されていないが、記録層３には波長オーダの微細なトラッキング用の溝が形成されている。さらに、内周制御データ記録領域６の一部には、再生専用の溝が形成されている場合もある。内周制御データ記録領域６、外周制御データ記録領域８には、最適記録条件をテストするためのテスト記録部と、光ディスク媒体１全体のレイアウト情報や記録状態を記録するための記録状態情報部等が含まれている。
【００２３】
このような光ディスク媒体１にデータを記録する光ディスク装置２０は、ホスト装置３０の指示によってユーザデータ記録領域７の内周側から順次ユーザデータを記録していく。このユーザデータを記録する過程において、内周制御データ記録領域６及び外周制御データ記録領域８のテスト記録部と、内周制御データ記録領域６の記録状態情報部等が適宜利用される。
【００２４】
図５に、ユーザデータの記録終了後の光ディスク媒体１の半径方向の断面が示される。ユーザデータ記録領域７は、ユーザデータが記録されたユーザデータ記録部９と、ユーザデータとは異なる制御用のデータが記録された終了処理記録部１３と、記録されていない未記録部とに分かれる。図５では、終了処理記録部１３のうち半分程度まで制御用データが記録された状態が示されている。この終了処理記録部１３は、半径方向に５０μｍから数１００μｍ程度の幅が必要となることが多い。従って、終了処理記録部１３全体を記録するには１０秒以上の時間を要することも多い。この終了処理記録部１３に制御データが記録されている間、光ディスク装置２０を制御するホスト装置３０及びホスト装置３０を操作するユーザは、待機することになる。
【００２５】
そこで、光ディスク装置２０は、この内周制御データ記録領域６に設けられた記録状態情報部１２にユーザデータの記録終了後の終了処理の状態を示す情報を記録する。即ち、記録状態情報部１２にこの終了処理記録部１３の記録状態を示すフラグが設けられる。このフラグは、“未記録である”、“記録途中である”、“記録済みである”の３状態を示すことができればよいため、例えば２ビットを割り当てる。このフラグの割り当て状態は、２進数表示により、次のように設定できる。
（１）００ｂ；  未記録
（２）０１ｂ；  記録途中
（３）１１ｂ；  記録済み
【００２６】
終了処理記録部１３の記録が途中である場合、例えば制御用データを記録した最終アドレスの情報を同時に記録する。通常の光ディスク媒体１では、記録トラック内の位置を示すアドレスは、３〜４バイトで示すことができる。従って、２ビットのフラグとともに３〜４バイトのアドレス情報を記録状態情報部１２に記録しておくことにより、終了処理記録部１３の記録状態を保存することができる。
【００２７】
光ディスク装置２０は、記録状態情報部１２に記録されたフラグ情報を参照することにより、終了処理の状態をすばやく認識することができる。終了処理が制御用データの記録途中であれば、さらにアドレス情報を参照することにより光ディスク装置２０は、未記録部分への追記記録を容易に再開できる。
【００２８】
即ち、この情報を記録しておけば、終了処理の制御用データの記録途中で中断しても、再度終了処理を継続して行うことが可能となる。また、その記録途中で光ディスク媒体１を光ディスク装置２０から取り出して、他の光ディスク装置に装填した場合でも同じように終了処理を継続することができる。
【００２９】
このとき、記録状態情報部１２に記録されているのがフラグのみの場合、記録領域をサーチして記録済み部分の終了位置を探索しなければならず、時間を要する。また、アドレス情報のみであると、終了処理が完了しているのか中断しているのか判断できず、他の記録領域情報と比較して判断する手間がかかる。フラグとアドレス情報との両方が設定されることにより光ディスク装置２０の処理が簡単になる。
【００３０】
このように、終了処理における制御用データの記録状態を示すフラグとアドレス情報が光ディスク媒体１に記録されていると、終了処理を途中で中断したり、再開したりすることが容易となる。そのため、ホスト装置３０やユーザの都合に応じて、待機時間を確保できる時に終了処理を分割して実施することが容易となる。
【００３１】
図５において、終了処理記録部１３は、ユーザデータ記録領域７内のみに設定されている。ユーザデータの記録容量が大きく、ユーザデータ記録部９がユーザデータ記録領域７の外周端付近まで達した場合、終了処理記録部１３の幅を確保するため、外周制御データ記録領域８にまで跨って設定されてもよい。その場合は、記録状態を示すフラグやアドレス情報が外周制御データ記録領域８も含むものとして記録されていればよい。また、終了処理において、内周制御データ記録領域６における所定の領域の記録処理が必要となる場合もあるが、フラグやアドレス情報は、この所定の領域の記録処理の状態を含めて設定されてもよい。
【００３２】
このように光ディスク媒体１の記録状態情報部１２に記録する光ディスク装置２０の動作が図９を参照して説明される。図９は、光ディスク装置２０の終了処理の動作を示すフローチャートである。
【００３３】
光ディスク装置２０は、ホスト装置３０の指示に基づいて、ユーザデータを光ディスク媒体１の記録層３のユーザデータ記録領域７に順次記録する（ステップＳ１０）。ユーザデータの記録が完了した状態において、ユーザデータが記録されたユーザデータ記録領域７は、図５では、ユーザデータ記録部９として区別して表示されている。
【００３４】
ユーザデータの記録が完了すると、光ディスク装置２０は、終了処理を実施する。終了処理において、ユーザデータ記録領域９に続けて終了処理記録部１３が設定される。この終了処理記録部１３は、半径方向に５０〜数１００μｍの幅の領域が設定される。光ディスク装置２０は、終了処理記録部１３に順次ユーザデータとは異なる制御用データを記録していく（ステップＳ２１）。
【００３５】
終了処理が長時間にわたる場合、光ディスク装置２０は、終了処理を中断するか否か確認する（ステップＳ２２）。終了処理を中断する場合（ステップＳ２２−Ｙ）、 “記録途中”を示すフラグと、制御用データを記録した最終アドレスの情報（中断アドレス）とを記録状態情報部１２に記録する（ステップＳ２３）。フラグとアドレス情報を記録状態情報部１２に記録すると、光ディスク装置２０は終了処理を中断し、光ディスク媒体１は光ディスク装置２０から取り出せる状態になる。
【００３６】
終了処理の中断が無ければ（ステップＳ２２−Ｎ）、光ディスク装置２０は設定された終了処理記録部１３の全てが記録状態になるまで制御用データを記録する（ステップＳ２５−Ｎ）。終了処理記録部１３に制御用データを記録し終えると（ステップＳ２５−Ｙ）、光ディスク装置２０は“記録済み”を示すフラグを記録状態情報部１２に記録し（ステップＳ２６）、終了処理を終了する。
【００３７】
次に、２層の記録層を有する光ディスク媒体１の場合について説明する。図６に、記録層（０）１０と記録層（１）１１の２層の記録層を有する光ディスク媒体１の半径方向の断面が示される。図６の左が内周側を示し、右が外周側を示す。記録層（０）１０と記録層（１）１１との２層の記録層は、単層の場合と同じように、光ディスク媒体１の入射面５から透過層４を介してレーザ光が照射され、集光スポットが形成されて記録及び再生が行われる。このような２層記録媒体の多くは、記録層（０）１０の記録トラックは内周側から外周側に向かって記録され、記録層（１）１１の記録トラックは外周側から内周側に向かって記録されるように設定されている。従って、この２層記録媒体は、２つの記録層をつないで大容量（長時間）のデータが記録できるようになっている。
【００３８】
単層の場合と同じように、記録層１０の記録トラックは、内周側から、内周制御データ領域６−０、ユーザデータ記録領域７−０、外周制御データ記録領域８−０に分けられ、記録層１１の記録トラックは、内周制御データ領域６−１、ユーザデータ記録領域７−１、外周制御データ記録領域８−１に分けられる。外周制御データ記録領域８−０、８−１は、折り返し部分に当たり、ミドル領域と呼ばれることもある。それぞれの領域の境界の半径位置は、記録層（０）１０と記録層（１）１１の間の干渉を避けるために揃えない場合もある。また、図示されていないが、記録層１０、１１には波長オーダの微細なトラッキング用の溝が形成されている。さらに、内周制御データ記録領域６−０、６−１の一部に、再生専用ピット領域が形成されている場合もある。これらの制御データ記録領域６−０／１、８−０／１には、最適記録条件をテストするためのテスト記録部と、光ディスク媒体１全体のレイアウト情報や記録状態を記録するための記録状態情報部等が含まれている。
【００３９】
このような光ディスク媒体１にデータを記録する光ディスク装置２０は、ホスト装置３０の指示に従って記録層（０）１０のユーザデータ記録領域７−０の内周側から順次ユーザデータを記録していく。ユーザデータ記録領域７−０の外周端に達すると、次に記録層（１）１１のユーザデータ記録領域７−１の外周側から順次ユーザデータが記録される。このユーザデータを記録する過程において、内周制御データ記録領域６−０／１及び外周制御データ記録領域８−０／１のテスト記録部と、内周制御データ記録領域６−０／１の記録状態情報部等が適宜利用される。
【００４０】
図７に、ユーザデータ記録終了後の２層光ディスク媒体１の半径方向の断面が示される。図７では、ユーザデータ記録領域７−０は、全てユーザデータが記録されてユーザデータ記録部９−０となっている。ユーザデータ記録部９−０の外終端を示す制御用データが外周制御データ記録領域８−０に記録されている。ユーザデータ記録領域７−１は、途中までユーザデータが記録されており、ユーザデータ記録部９−１と、終了処理記録部１３−１に分かれる。ユーザデータ記録部９−１のユーザデータの始まりを示す制御用データが外周制御データ記録領域８−１に記録されている。
【００４１】
このように、ユーザデータ記録領域７−１は未記録部分が無くなるように記録される。これは、このユーザデータ記録領域７−０／１において、ユーザデータ記録部９−０／１の記録終了後、ユーザデータが記録されていないユーザデータ記録領域７−１は、すべて終了処理記録部１３−１として記録を行う必要があるためである。即ち、記録層が２層構造の場合、記録層（０）１０で記録済みとなったユーザデータ記録部９−０と同じ半径位置の記録層（１）１１は記録済みとする必要があるためである。
【００４２】
従って、ユーザデータがユーザデータ記録部９−０だけ記録する容量であった場合、ユーザデータ記録領域７−１は全て終了処理記録部１３−１となる。ユーザデータ記録領域７−１を全て記録するまでの間、光ディスク装置２０を制御するホスト装置３０及びホスト装置３０を操作するユーザは、待機することになる。そこで、単層の場合と同じように、光ディスク装置２０は、この内周制御データ記録領域６−０／１に設けられた記録状態情報部１２にユーザデータの記録終了後の終了処理の状態を示す情報を記録する。光ディスク装置２０は、記録状態情報部１２に記録されたフラグとアドレス情報とにより終了処理記録部１３−１の記録状態をすばやく認識することができる。終了処理が制御用データの記録途中であれば、さらにアドレス情報を参照することにより光ディスク装置２０は、未記録部分への追記記録を容易に再開できる。
【００４３】
即ち、この情報を記録しておけば、終了処理の制御用データの記録途中で中断しても、再度終了処理を継続して行うことが可能となる。また、その記録途中で光ディスク媒体１を光ディスク装置２０から取り出して、他の光ディスク装置に装填した場合でも同じように終了処理を継続することができる。
【００４４】
例えば、全体で４時間分のデータ記録が可能な２層光ディスク媒体において、終了処理時間が１時間以上必要になる場合も発生し得る。従って、終了処理記録部１３−１に制御用データを記録する処理の中断や再開が任意の時点で可能となるように、処理状態を示すフラグとアドレス情報を記録状態情報部１２に記録することは、単層の光ディスク媒体以上に有効となることが分かる。
【００４５】
図７に示される状態は、ユーザデータ記録部９−１が記録層（１）１１の途中で終了した場合であったが、図８に示されるように、ユーザデータ記録部９が記録層（０）１０の途中で終了した場合にも終了処理は必要となる。この場合は、記録層（０）１０のユーザデータ記録部９−０の外周端に終了処理記録部１３−０を所定の幅に設けると共に、ユーザデータ記録部９−０に対応する記録層（１）１１の広い範囲を終了処理記録部１３−１として記録処理をする必要がある。この場合、ユーザデータ記録部９−０に匹敵する量の制御用データを終了処理として終了処理記録部１３−１に記録する必要があり、ますます本発明の有用性が発揮される。
【００４６】
上述のように、光ディスク装置２０は、ホスト装置３０から記録中断の指示を受け取る等により、終了処理の途中で中断する必要が生じた場合、フラグ情報とアドレス情報を記録状態情報部１２に記録して終了動作を中断する。また、このような記録途中状態の光ディスク媒体１を検出した場合、光ディスク装置２０は、フラグ情報とアドレス情報とを検出し、未記録部分の追加記録を再開する。このような機能を光ディスク装置２０が有することにより、ホスト装置３０あるいはユーザは自由な時間に終了処理の時間を設けることができる利点がある。このような中断動作は、一度だけ記録可能なライトワンス型の光ディスク媒体や書き換え型の光ディスク媒体に共通して有効となるものである。
【図面の簡単な説明】
【００４７】
【図１】本発明の実施の形態に係る光ディスクシステムの構成を示す図である。
【図２】同光ディスク装置の構成を示す図である。
【図３】同記録型光ディスク媒体を示す図である。
【図４】同単層の光ディスク媒体のレイアウトを説明する図である。
【図５】同終了処理中の単層の光ディスク媒体を説明する図である。
【図６】同２層の光ディスク媒体のレイアウトを説明する図である。
【図７】同終了処理中の２層の光ディスク媒体を説明する図である。
【図８】同終了処理中の２層の光ディスク媒体を説明する図である。
【図９】同ファイナライズの手順を示すフローチャートである。
【符号の説明】
【００４８】
１  光ディスク媒体
２  記録トラック
３  記録層
４  透過層
５  入射面
６  内周制御データ記録領域
７  ユーザデータ記録領域
８  外周制御データ記録領域
９  ユーザデータ記録部
１０  記録層（０）
１１  記録層（１）
１２  記録状態情報部
１３  終了処理記録部
２０  スピンドル
２１  光ヘッド
【図１】
2007157297.tif 000003
【図２】
2007157297.tif 000004
【図３】
2007157297.tif 000005
【図４】
2007157297.tif 000006
【図５】
2007157297.tif 000007
【図６】
2007157297.tif 000008
【図７】
2007157297.tif 000009
【図８】
2007157297.tif 000010
【図９】
2007157297.tif 000011